(57)【要約】      （修正有）【課題】座布団及びその表面に宣伝広告を印刷した費用対効果の高い販促用の座布団を使用する宣伝広告方法並びに販促用の座布団を低コストでかつ効率良く販売・配送することができる情報提供販売システム及び該システムのＷｅｂサーバーに自動的に接続させる記録媒体を提供する。【解決手段】合成樹脂の弾性体シートの周辺部及び内部所定の箇所３a、３bを溶着した本体１と、該本体１の所定の箇所に逆止弁付空気吹込チューブ２とを有する座布団及びその表面に宣伝広告を印刷した販促用座布団を使用することにより実現する宣伝広告方法並びにその座布団の購入者が、端末装置から通信ネットワークを介して座布団の商品情報を取得し、購入要求を送信したものをＷｅｂサーバーが受信し、さらに、運送業者の端末装置が受信し、商品が配送される情報提供販売システム及び自動的に前記Ｗｅｂサーバーに接続するプログラムが記録された記録媒体とで構成する。【選択図】図１
2015157078.tif 000002
【特許請求の範囲】
【請求項１】
二枚重ねの合成樹脂の弾性体シートの周辺部及び内部所定の部分を溶着した本体と、該本体の周辺部の何れかの箇所に備えた逆止弁付空気吹込チューブとを有し、
使用時には該逆止弁付空気吹込チューブから空気の圧入により該本体は扁平な風船状構造体に膨張した後該逆止弁の機能により密栓されその体積を保持し、使用前後には合成樹脂の粘弾性によりポケットサイズに折り畳み自在なことを特徴とする空気座布団。
【請求項２】
請求項1記載の合成樹脂が、ポリエチレンであることを特徴とする空気座布団。
【請求項３】
請求項１又は請求項２に記載の空気座布団の表面に宣伝広告を印刷したことを特徴とする販促用空気座布団。
【請求項４】
二枚重ねの合成樹脂の弾性体シートの周辺部と内部所定の部分を該周辺部の一部を残して溶着し、未溶着の該一部の箇所に逆止弁付空気吹込チューブを挿入し、
該挿入箇所の周囲を溶着密封することを特徴とする請求項１又は請求項２に記載の空気座布団を製造する方法。
【請求項５】
表面に宣伝広告を印刷した二枚重ねの合成樹脂の弾性体シートの周辺部と内部所定の部分を該周辺部の一部を残して溶着し、未溶着の該一部の箇所に逆止弁付空気吹込チューブを挿入し、該挿入箇所の周囲を溶着密封することを特徴とする請求項３に記載の販促用空気座布団を製造する方法。
【請求項６】
請求項３に記載の販促用空気座布団を使用する費用対効果の高い宣伝広告方法。
【請求項７】
請求項１又は請求項２に記載の空気座布団又は請求項３に記載の販促用空気座布団に係る商品の購入を希望する顧客（以下、顧客という。）が、端末装置から通信ネットワークを介してＷｅｂサーバーに接続し、該Ｗｅｂサーバー保有のデータベースを基に顧客がＷｅｂページ上の空気座布団又は販促用空気座布団に係る商品情報（製品単価、割引率、入手可能期日等）（以下、商品情報という。）を取得し、購入要求するための顧客情報を送信するコンピュータ・システムにおいて、
前記Ｗｅｂサーバーは、
前記顧客のＷｅｂブラウザ等のクライアント・プログラムの要求により該Ｗｅｂサーバー保有の商品情報と該商品情報を送信するための入力フォームを通信ネットワークを介して顧客の端末装置（プロキシ等）へ送信する送信手段と、
顧客が前記送信された商品情報を参照して空気座布団又は販促用空気座布団に係る商品の購入顧客情報（氏名、住所、購入個数、受取日時、受取場所、決済方法、印刷デザイン等）を前記入力フォームを使用して送信した購入顧客情報を受信する受信手段と、
該購入顧客情報を記憶する記憶手段と、
顧客の送信した購入顧客情報の特定情報のみを通信ネットワークを介して空気座布団又は販促用空気座布団に係る商品の輸送を委託された者（以下、運送業者等という。）の端末装置（プロキシ等）へ送信する送信手段と、を有することを特徴とするＷｅｂページによる情報提供販売システム。
【請求項８】
顧客の端末装置にセットすることによって自動的に請求項７に記載のＷｅｂサーバーに接続することを特徴とするクライアント・プログラムが記録された記録媒体。
【発明の詳細な説明】
【技術分野】
【０００１】
本発明は、座布団及びその製造方法並びに座布団を販売するための情報提供システム及びシステムのＷｅｂサーバーに接続するクライアント・プログラムが記録された記録媒体に関し、
特に、従来の布製の座布団とは異なる合成樹脂製の座布団に関するものである。
ここで、空気座布団とは、合成樹脂の弾性体シートと合成樹脂の逆止弁付空気吹込チューブにより構成される扁平な風船状構造体の座布団のことをいう。
そして、他の発明として、空気座布団に宣伝広告を印刷した販促用の空気座布団及びその製造方法及び販促用の空気座布団を使用する宣伝広告方法並びに販促用の空気座布団を販売するための情報提供システム及びシステムのＷｅｂサーバーに接続するクライアント・プログラムが記録された記録媒体に関するものである。
【背景技術】
【０００２】
一般的に、座布団の外皮の材質は布製（綿、羊毛、化学繊維 等）であり、布袋の内部に緩衝材となる綿やスポンジ等が既に封入され製造されている。
座布団の全体が合成樹脂の弾性体シートで作られ、固体の緩衝材は封入されずに、座布団の使用者が、その使用時に座布団の内部に空気を吹き込んで使用する構造の座布団は従来存在しなかった。
【０００３】
また、顧客（イベント企画側）が行う各種イベント内容（地域おこし、野球、サッカー等）を考察した場合に、イベント参加者が屋内外で座ったり又は長時間椅子に腰掛けることになるイベントは多数存在し、そんな場合にあっても、イベント会場が屋外であって椅子がなかったり若しくは屋内であっても座席が硬く座り心地が悪かったり又は座席が冷たかったりすることはよくあることであった。
【０００４】
ところが、従来の布製の座布団は、屋外での雨天時及び雨天後では濡れて使用できず、また、嵩張って持ち運びが不便であり自宅からの持ち帰りに苦労していたという現状があった。
【０００５】
また、従来の市場における販促用の各種商品を見た場合に、販促用の座布団自体存在せず、当然に上記の各種イベント会場で販促品の座布団が配布されているという現状はなかった。
【０００６】
上述の理由としては次のような事情が考えられる。
一般に、顧客（イベント企画側）は何らかのイベントを企画し、「該顧客自らの宣伝広告」を若しくは「該顧客がイベントスポンサー（広告主側）を募集しその宣伝広告」を印刷（デザイン）した販促用商品を企画・購入し、各種イベントにおいて、無料で大量に配布していた。
【０００７】
販促用商品は無料で配布されるため、顧客（イベント企画側）は販促用商品自体からは利益を上げることはできず、それゆえ、低コストで宣伝広告効果の高い販促用商品を市場調査して決定していた。
【０００８】
しかし、布製の座布団を販促用商品として採用することを想定した場合は、製品単価（材料単価と加工単価 / 布＞合成樹脂）及び梱包費・配送費が大きく（体積が大きく、嵩張る）、広告の印刷費も大きい（布への印刷工程は複雑）ため、宣伝広告の費用対効果は高くならなかった。
ゆえに、顧客（イベント企画側）が無料で大量に配布する販促品としては利用しづらいという現状があったからである。
【０００９】
実際に、顧客（イベント企画側）がイベント参加者に無料で大量に配布できるほどの低コストで、宣伝広告効果（費用対効果）が高く、屋内外のイベント会場で座ったり又は長時間椅子に腰掛けるための強度と機能を有する販促用の座布団は存在しなかった。
【先行技術文献】
【特許文献】
【００１０】
【特許文献１】特開２００２-１７５１７号公報
【特許文献２】特開２００３-０００３９３号公報
【発明の概要】
【発明が解決しようとする課題】
【００１１】
その結果、イベント参加者は、自ら有料で布製の座布団を購入し持参するか又は嵩張る荷物になりながらも自宅から布製の座布団を持参するか若しくは我慢してイベントをやり過ごさなければならないという問題があった。
【００１２】
この問題が今まで解決されなかった理由としては、従来技術である布製の座布団は、使用者が腰掛けることにより加えられる座布団外皮への外圧を、外皮の布繊維の隙間から空気を抜くとともに座布団内部に封入された緩衝材となる綿やスポンジ等への内圧として移動し保持するという至極理にかなった構造を有したものであり、技術としては全く無駄がなく、足す要素も引く要素もなく、ほぼ完成した技術だったからである。
従来の座布団に問題を見出し、根本的に異なる力学概念の座布団を開発しようとは誰も思わなかったのである。
つまり、本願発明のように内圧の全てを合成樹脂の弾性体シートからなる風船状構造体の薄い外皮の部分のみで支え保持し、座布団として十分な強度と機能を維持できるとは誰も考えつかなかったのである。
ところが、本発明者は、樹脂加工の当業者であり、自社工場で使用している慣用技術のみを流用することにより低コストであるが十分に使用に耐える強度と機能を有する座布団を合成樹脂のみから製造できることに気づいたのである。
【００１３】
本発明は上述のような従来技術の問題点や事情を鑑みてなされたものであり、イベント参加者が雨天後又は雨天時でも使用でき、自宅から容易に持ち帰りできるポケットサイズに自在（コンパクト）に折り畳める機能と、快適に屋内外のイベント会場で座ったり又は長時間椅子に腰掛けるための強度と機能を有し、さらに、イベント会場の売店等で、低価格（500円のビニール傘より廉価）で販売でき、気軽に購入できる座布団及び顧客（イベント企画側）が、イベントの参加者に無料で大量に配布できるほどの低コストでありながら、イベントスポンサー（広告主側）が満足のいく費用対効果の高い販促用座布団及びそれらの製造方法及び該販促用座布団を使用することにより実現する費用対効果の高い宣伝広告方法並びに該座布団又は該販促用座布団を効率良く販売するための情報提供販売システム及び該システムのＷｅｂサーバーに接続するクライアント・プログラムが記録された記録媒体を提供することを目的としている。
【課題を解決するための手段】
【００１４】
前述の目的を達成するために、請求項１に記載の発明は、二枚重ねの合成樹脂の弾性体シートの周辺部と内部所定の部分を溶着した本体と、該本体の何れかの箇所に備えた合成樹脂の逆止弁付空気吹込チューブとを有し、使用時には使用者が該逆止弁付空気吹込チューブから空気を吹き込むことにより扁平な風船状構造体に密栓保持され、使用前後には合成樹脂の粘弾性によりポケットサイズに自在に折り畳み可能な構造を有し、使用者が屋内外で快適に腰掛けるに十分な強度と機能を有し、低コストで購入を希望する者に提供することを特徴としている。
【００１５】
請求項２に記載の発明は、請求項１に記載の発明の材質として合成樹脂の中でも「強靭」、「柔軟」、「低価格」であるポリエチレンを採用したものであり、座布団の強度、不使用時の折り畳み容易性及び商品単価の低価格性により請求項１に記載の発明の目的達成に最も寄与することを特徴としている。
【００１６】
請求項３に記載の発明は、請求項１及び請求項２に記載の発明の表面に宣伝広告を印刷した販促用座布団であって、低コストで製造、販売及び配送することができることにより費用対効果が高いことを特徴としている。
【００１７】
請求項４に記載の発明は、請求項１及び請求項２に記載の座布団を製造する方法であって
二枚重ねの合成樹脂の弾性体シートの周辺部と内部所定の部分を該周辺部の一部を残して溶着し、未溶着の該一部の箇所に逆止弁付空気吹込チューブを挿入し、該挿入箇所の周囲を溶着密封することにより製造することを特徴としている。
【００１８】
請求項５に記載の発明は、請求項３に記載の販促用座布団を製造する方法であって、表面に宣伝広告を印刷した二枚重ねの合成樹脂の弾性体シートの周辺部と内部所定の部分を該周辺部の一部を残して溶着し、未溶着の該一部の箇所に逆止弁付空気吹込チューブを挿入し、該挿入箇所の周囲を溶着密封することにより製造することを特徴としている。
【００１９】
請求項６に記載の発明は、「宣伝広告効果は、広告表示の大きさに比例する。」という経験則と布製の座布団に比較し遥かに廉価な請求項１及び請求項２に記載の座布団を販促用商品として利用し、請求項１及び請求項２に記載の座布団の表面いっぱいにイベントスポンサー（広告主）の宣伝広告を表示することができ、かつ、イベント参加者が該座布団に空気を吹き込む間、イベント参加者はイベントスポンサー（広告主）のロゴマークや宣伝広告を必然的に目の当たりにすることになり宣伝広告効果が高く、費用対効果の高い宣伝広告方法を特徴としている。
【００２０】
請求項７に記載の発明は、請求項１及び請求項２に記載の座布団又は請求項３に記載の販促用座布団の顧客が、端末装置から通信ネットワークを介してＷｅｂサーバーに接続し、該Ｗｅｂサーバー保有のデータベースを基に該顧客がＷｅｂページ上の該座布団又は該販促用座布団に係る商品情報を取得し、購入要求するための顧客情報を送信するコンピュータ・システムにおいて、
前記Ｗｅｂサーバーは、
顧客のＷｅｂブラウザ等のクライアント・プログラムの要求により該Ｗｅｂサーバー保有の商品情報と該商品情報を送信するための入力フォームを通信ネットワークを介して顧客の端末装置（プロキシ等）へ送信する送信手段と、
該顧客が前記送信された商品情報を参照して該座布団又は該販促用座布団に係る商品の購入顧客情報（氏名、住所、購入個数、受取日時、受取場所、決済方法等）を前記入力フォームを使用して送信した購入顧客情報を受信する受信手段と、
該購入顧客情報を記憶する記憶手段と、
前記顧客の送信した購入顧客情報の特定情報のみを通信ネットワークを介して該座布団又は該販促用座布団に係る商品の運送業者等の端末装置（プロキシ等）へ送信する送信手段と、
を備える情報提供販売システムでは、運送業者等は、購入顧客情報に従って該座布団又は該販促用座布団に係る商品の製造工場又は保管倉庫から任意の輸送手段によって顧客の指定日時と指定場所に指定個数だけ該座布団又は該販促用座布団に係る商品を送達できるので、顧客は簡単な端末入力だけで該座布団又は該販促用座布団に係る商品を必要な日時に必要な個数だけ、必要な場所で入手するための手続を効率良く行うことができることを特徴としている。
【００２１】
請求項８に記載の発明は、前記顧客の端末装置にセットすることによって自動的に請求項７のＷｅｂサーバーに接続するクライアント・プログラムが記録された記録媒体であり、インターネットから請求項１及び請求項２に記載の座布団又は請求項３に記載の販促用座布団の情報を入手する際に、該座布団又は該販促用座布団の情報が存在するＷｅｂサイト又はＵＲＬ（Uniform Resource Locator）の手掛かりが無い場合や検索キーワードが適切で無く的外れのホームページが検索される場合を配慮して、顧客が、迅速で確実に該座布団又は該販促用座布団のホームページの参照を実現できるようにし、また、該座布団又は該販促用座布団の営業をスマートに行うためのアイテムとしても活用できることを特徴としている。
【発明の効果】
【００２２】
請求項３、５から８に記載の発明によれば、イベントスポンサー（広告主側）の宣伝広告が印刷された販促用の空気座布団が販促品として無料で配布することができれば、イベント参加者は快適にイベントを楽しむことができ、一方イベントスポンサーは自社の商品やサービスを広く世の中に周知させることができ、さらに、顧客（イベント企画側）は自社のイベントを成功裏に終了させることができるという「三者ＷｉｎＷｉｎの関係」を築くことができるという利点がある。
【００２３】
請求項１から３に記載の発明によれば、
（1）断熱効果が最も高い物は、「対流のない空気」であるという基本的な自然法則がある。
空気座布団の内部に蓄えられた空気は熱伝導率が非常に低く、断熱効果に優れており、空気層内での対流も発生しないのでヒートポンプ効果も起きない。
よって、布製の座布団に比較して熱を外に逃がしづらく暖かいという利点がある。
（2）イベント前日に雨が降り、イベント会場が屋外の土、芝生の場合、布製の座布団は土、芝生が雨に濡れて使用できないのに対して、空気座布団は使用することができるという利点がある。
（3）イベント会場で突然の雨が降った場合、布製の座布団は雨に濡れて乾くまで使用できなくなるに対して、空気座布団は雨が止んだ後に雨の水分を拭き取れば再び使用することができるという利点がある。
（4）イベントが終了した場合、布製の座布団は嵩張って持帰るのが大変だが、空気座布団は空気を抜いて小さく折りたためば容易に持帰ることができるという利点がある。
（5）座布団を廃棄する場合、布製の座布団は嵩張ってイベント会場のごみ箱は直ぐにいっぱいになり清掃のための人工費用及び廃棄費用が発生するのに対して、空気座布団は空気を抜いて小さく折りたたみ廃棄すれば、イベント会場のごみ箱周辺が座布団のゴミでいっぱいになることはなく通常の燃えるゴミで処理でき、清掃のための人工費用及び廃棄費用が少額で済むという利点がある。
【００２４】
請求項２に記載の発明によれば、
ポリエチレン製の空気座布団は、その成分に塩素が含まれないため焼却時に有害なガスの発生やダイオキシンを発生せず、環境に優しいという利点がある。
【００２５】
請求項６に記載の発明によれば、「広告効果は、広告表示の大きさに比例する。」という経験則から、販促用空気座布団の商品単価と座布団サイズにイベントスポンサー（広告主側）の広告を表示した場合の費用対効果は、無料ティシュペーパーの費用対効果に比べて遥かに大きいという利点がある。
【００２６】
請求項７に記載の発明によれば、簡単な端末入力により、空気座布団又は販促用空気座布団に係る商品の梱包費・配送費、消費税を含めた全支払額を入力と同時に知ることができるため経営計画を立案し易いという利点がある。
また、運送業者等には、本発明に係るWebサーバーの受信と同時に商品の搬送に必要な特定の購入顧客情報が通信ネットワークを介して送信され、直ちに配送準備に取り掛かることができるので、顧客は効率良く空気座布団又は販促用空気座布団に係る商品を入手することができるという利点がある。
【００２７】
請求項８に記載の発明によれば、空気座布団又は販促用空気座布団の情報を入手する際に、その情報が存在するＷｅｂサイト又はＵＲＬ（Uniform Resource Locator）の手掛かりが無い場合や検索キーワードが適切で無く的外れのホームページが検索されない利点がある。
また、空気座布団又は販促用空気座布団の営業をスマートに行うためのアイテムとしても活用できるという利点がある。
【図面の簡単な説明】
【００２８】
【図１】請求項１に係る発明の実施の形態に係る空気座布団の一例を示す使用前（空気を入れない状態）正面図である。
【図２】請求項１に係る発明の実施の形態に係る空気座布団の一例を示す使用時（空気を入れた状態）正面図である。
【図３】請求項１に係る発明の実施の形態に係る空気座布団の一例を示す使用時（空気を入れた状態）図２のＡ-Ａ断面図である。
【図４】請求項７に係る発明の実施の形態に係るWebページによる情報提供販売システムの概要を示す構成図である。
【図５】請求項７に係る発明の実施の形態に係るWebページによる情報提供販売システムの顧客の入力フォームの一例を示す説明図である。
【発明を実施するための形態】
【００２９】
図１、図２及び図３は、請求項１に記載の発明の実施の形態における空気座布団の正面図（使用前）、正面図（使用時）及び図２のＡ-Ａ断面図である。
以下、図面を参照して説明する。
空気座布団は、合成樹脂製の座布団の本体１とその周辺部４のいずれかの箇所に備える合成樹脂製の逆止弁付空気吹込チューブ２とから構成される。
座布団の使用時には、使用者は、ストロー状のものを逆止弁付空気吹込チューブ２に挿入し空気を吹き込むことで本体１を風船状構造体１０に膨張させて使用する。
風船状構造体１０の内部は、線状の内部溶着部３０a、３０bにより複数に分割された区画６０が開ループに形成されている。
使用者の体重移動等により特定の区画６０が不均一に加圧されても、要所に設けられた通気経路５０による空気の相互移動が可能であり、風船状構造体１０の内圧は均一に保たれ、偏った外圧の急激な増加により風船状構造体１０が破裂するのを防ぐことができる。
線状の内部溶着部３a、３bの占める割合の大きさに比例して座布団の加圧に耐える強度も大きくなるが、反対に座布団としてのクッション性は小さくなり座り心地は悪くなる。
よって、前述の線状の内部溶着部３a、３bの本数、形状及び方向は種々想定され、図１の３a、３bに限られず、使用時の風船状構造体１０の形状を扁平に保持しつつ十分な強度を確保でき、かつ、座布団として適度なクッション性を維持できるものであればよい。
【００３０】
請求項２に記載の発明は、請求項１の合成樹脂をポリエチレンに限定したものである。
ポリエチレンは、合成樹脂の中でも「強靭」、「柔軟」、「低価格」であり、請求項１に記載の発明の目的の達成に最も寄与できる材質である。
【００３１】
請求項３に記載の発明は、請求項１及び請求項２に記載の空気座布団に宣伝広告を印刷したものである。
印刷の工程は、全製造工程の最上流側でも最下流側でもよい。
印刷を最上流側で行う場合には、グラビア印刷機等により行う。
印刷を最下流側で行う場合には、シルク印刷又はインクジェツト印刷等により行う。
【００３２】
請求項４及び請求項５に記載の発明は、以下の製造方法による。
「文字、数字、絵柄等を印刷した」又は「色付きの」若しくは「無色無模様の」合成樹脂シートをロール状にしたものが製袋機にセットされ、「二枚重ね」の矩形の座布団の形状・大きさに自動的に連続裁断される。
前述の合成樹脂シートは、「１本の筒状」のものであってもよい。
前述の裁断は、円形や楕円形の形状であってもよい。
前述の裁断された「二枚重ね」の又は「１本の筒状」の該シートは、金型により自動的に120℃前後で周辺部４の一部を残して該周辺部４と内部３a、３bが線状に溶着された後、一つ一つ手作業により該一部の未溶着の箇所に逆止弁付空気吹込チューブ２を挿入し、該挿入箇所の周囲を電熱シーラー装置等により120℃前後で溶着密封され製造される。
前述の金型加工は裁断の前工程で行ってもよい。
前述の逆止弁付空気吹込チューブ２の挿入と該吹込チューブ２の周囲の溶着は、該一部の箇所に逆止弁付空気吹込チューブ２が自動的に挿入され、該挿入箇所の周囲が自動的に溶着密封されるようにしてもよい。
前述の線状の内部溶着部３a、３bの本数、形状及び方向は種々想定され、図１の３a、３bに限られず、使用時の風船状構造体１０の形状を扁平に保持しつつ座布団として十分な強度を確保でき、かつ、座布団として適度なクッション性を維持できるものであればよい。
前述の印刷は、最下流の工程で行ってもよい。
【００３３】
請求項６に記載の発明は、十分使用に耐える強度（添付の実験成績証明書の実験1及び2を参照）と機能を有する座布団を低価格（添付の実験成績証明書の実験3を参照）で販促用商品として提供することで費用対効果の高い宣伝広告を提供する方法である。
具体的には以下による。
【００３４】
工業製品は、材質として木製、紙製、布製、樹脂製、陶器製、金属（アルミ、スズ、鋳物、鉄鋼 等）製又はこれらの結合したものが使用され、その材質に適した加工方法が採用される。
当然に、製品単価は、これら材料単価と加工単価に比例して上下する。
さらに、製品単価に印刷費が付加され商品単価が決定される。
さらに、商品単価に梱包費・配送費が付加される。
【００３５】
そして、これらの合計額に比例して上下する消費税額が付加され、購入者の最終的な支払額が決定する。
【００３６】
また、購入個数によって割引率を与え、商品単価を下げるという商業上の取引についての習慣がある。
【００３７】
よって、最終的な購入費用である支払額は、1）材料単価及び2）加工単価及び3）印刷費4）及び梱包費・配送費並びに5）割引率を与える購入個数並びに6）消費税によって決定される。
【００３８】
前述の商品の価格決定要素1）から6）を基準にして、
1）材料には、合成樹脂を採用することにより材料単価を抑えることができる。
ここで、合成樹脂とは熱可塑性樹脂を意味し、ポリエチレン、塩化ビニル、ポリプロピレン等その他いかなる合成樹脂でもよい。
本願発明に係る座布団は、合成樹脂の最大の特徴である熱可塑性を生かし、溶融温度120℃前後という容易に発生させることができる温度で加工（熱溶着）できることから設備光熱コスト、生産コストが低く、布製の座布団を生産するのに比較して生産性が非常に高く、大量生産に適しているため、製品単価を低く抑えることができる。
2）加工には、合成樹脂の慣用加工技術を流用することにより初期投資費用を抑え、加工単価を抑えることができる。
ここで、慣用加工技術とは製袋機、熱溶着用の金型及び電熱シーラー装置等の樹脂加工の現場（工場）に通常ある機器による技術を意味する。
3）印刷には、合成樹脂の慣用印刷技術を流用することにより初期投資費用を抑え、印刷費を抑えることができる。
ここで、慣用印刷技術とはグラビア印刷機、シルク印刷機、反転式印刷機等の合成樹脂の表面に文字、絵柄等を印刷する機器による技術を意味する。これらについても印刷加工の現場（工場）に通常ある機器である。
4）座布団として使用前（空気を吹き込む前）は、一層当たりの厚みは0.75ｍｍ〜1.05ｍｍで、それを2枚重ねた厚さ1.5ｍｍ〜2.1ｍｍの合成樹脂の弾性体シートの態様であり、合成樹脂の特性の一つである粘弾性により小さくポケットサイズに自在に折り畳むことができる機能を有し、布製の座布団に比較して梱包費・配送費その他を大幅に抑えることができる（添付の実験成績証明書の実験3を参照）。
5）大量発注が必要な大規模のイベントにあっては、その割引率が大きいことから、商品単価をさらに抑えることができる。
ここで、割引率とは例えば、「100個で2％」、「500個で5％」、「1,000個で10％」、「5,000個で15％」、「10,000個で20％」、「20,000個で30％」等で、単価当たりの割引く率を意味する。
例えば、（材質：ポリエチレン、厚み：0.8mm）の条件で1）から5）により算出した商品単価は≒120円である。
前述の割引率を採用したと仮定すると「100個購入では、117.6円/個」 、 「10,000個購入では、96円/個」 、  「20,000個購入では、84円/個」であり、購入個数が万単位になる場合は、商品単価を100円以下で提供できる。
100円以下で購入できる布製の座布団は市場には存在しないばかりか、販促用の座布団自体が存在しない。
本願発明に係る商品をイベント会場で来場者向けに有料販売する場合や販促品として来場者に無料配布する場合でも、顧客（イベント企画側）は商品として購入し易い。
6）購入個数が多い場合は、1）から5）により全体の購入費用が抑えられ、結果として消費税額を抑えることができる。消費税は5％から現在8％になり、近く10％になることはほぼ間違いなく、それ以上になることも検討されている。
消費税は購入者にとって無視できない費用の一部になっている。税抜き価格を抑えることができるか否かは顧客にとって重大な問題になっている。
【００３９】
ここで、宣伝広告の費用対効果について本発明に係る空気座布団と他の販促用商品について比較検討する。
日常よく見かける販促用商品として、街角で配られるポケットティッシュがある。
Webページに掲載されているポケットティッシュ（2枚重ね10枚入り/4色カラー刷り）の商品単価は,「10,000個購入では、≒12円/個」、「20,000個購入では、≒9円/個」のものをよく見かける。ポケットティッシュの片面面積は96cm^2（＝120mm×80mm）である。
一方、平均的な座布団サイズを想定した本発明に係る空気座布団の片面面積は≒1600cm^2 (＝470mm×340mm)である。
よって、前述の条件を仮定したポケットティッシュによる平均的な座布団サイズの広告効果の単価は、「10,000個購入では、200円/個」、「20,000個購入では、150円/個」となる。
対して空気座布団の広告効果の単価は、「10,000個購入では、96円/個」、「20,000個購入では、84円/個」である。
「宣伝広告効果は、広告表示の大きさに比例する。」という経験則をそのまま当てはめた場合の費用対効果は、空気座布団はポケットティッシュの２倍といえる。
裏面を含めれば４倍といえる。
【００４０】
図４は、請求項７に記載の発明の実施の形態におけるＷｅｂページによる情報提供販売システムの構成図である。データベースサーバー１１０には購入個数から算出する割引率、住所（受取り場所）と商品重量・段ボール箱の数から算出される配送費、希望する文字・記号・図形等入力画面、決済方法等の情報が蓄積されている。
Webサーバー１００は、データベースサーバー１１０に接続し通信ネットワークを介して顧客のWebブラウザ４００a、b、ｃへ入力フォーム（図５）及び各種データの配信を行う。
また、Webサーバー１００は、顧客のWebブラウザ４００a、b、ｃが購入要求した入力フォーム（図５）を受信し、その受信した入力フォーム（図５）に記載の顧客情報の中の特定の情報を通信ネットワークを介して運送会社等のWebブラウザ５００へ送信する。
この運送会社等は、前述の特定の顧客情報を確認して空気座布団又は販促用空気座布団に係る商品を購入した顧客に送達する。
顧客４００a、b、ｃは梱包費・配送費、消費税を含めた全支払額を入力と同時に知ることができるため経営計画を立案し易い。
また、運送会社５００は直ちに配送準備に取り掛かることができ効率的である。
よって、顧客は効率良く空気座布団及び販促用空気座布団に係る商品を入手することができる。
【００４１】
請求項８に記載の発明は、顧客の端末装置４００a、b、ｃにセットすることによって自動的に請求項７のＷｅｂサーバー１００に接続するプログラムが記録された記録媒体である。
インターネットから空気座布団及び販促用空気座布団に係る商品の情報を入手する際に、その情報が存在するＷｅｂサイト又はＵＲＬ（Uniform Resource Locator）の手掛かりが無い場合や検索キーワードが適切で無く的外れのホームページが検索される場合を配慮して顧客に配布するものである。
これにより、顧客は迅速で確実に空気座布団及び販促用空気座布団に係る商品のホームページを参照できる。
上記の記録媒体は、情報を記録することができるものであれば特に限定しない。
例えば、コンパクトディスク（ＣＤ）、デジタルビデオディスク（ＤＶＤ）、光磁気ディスク（ＭＯ）、ミニディスク（ＭＤ）、メモリーチップ、メモリースティック、ＩＴカード等がある。
【実施例１】
【００４２】
図１、図２及び図３は請求項１に記載の発明に係る空気座布団の一例を示すものである。本例の場合、形態の明確性を優先して座布団の本体１及び１０の表面には宣伝広告は印刷されていないものを実施した。
【００４３】
無色無模様のポリエチレンシートをロール状にしたものを製袋機にセットし、該製袋機の送り量により長手方向474mm、短手方向334mmの寸法で、二枚重ねの矩形シートの周辺部の一部を長さ30ｍｍ残して、該矩形シートの周辺部４と内部３a、３bを線状に金型により溶着した後に所定の製品寸法に自動裁断した。
その後、一つ一つ手作業により未溶着の該一部の箇所に逆止弁付空気吹込チューブ２を挿入し、該挿入箇所の周囲を手作業により電熱シーラー装置により溶着密封し、空気座布団を製造した。
【産業上の利用可能性】
【００４４】
本願発明は、廉価な合成樹脂の弾性体シートと廉価な既成品の逆止弁付空気吹込チューブを利用し、廉価な製造方法による大量生産と材質の特性（粘弾性）により、低価格でありながら使用者がイベント会場の屋内外で快適に腰掛ける強度と機能を有する座布団を提供すること及びその製造方法及びそれを使用した費用対効果の高い宣伝広告方法並びにその情報提供販売システムとそのシステムに接続する記録媒体に関するものである。
【符号の説明】
【００４５】
１      本体  (使用前)    
２     逆止弁付空気吹込チューブ  
３a    本体 内部溶着部
３b    本体 内部溶着部
４     本体 周囲溶着部    
５     通気経路
１０     本体  (使用時)   
２０    逆止弁付空気吹込チューブ  
３０a   本体 内部溶着部
３０b   本体 内部溶着部
４０    本体 周囲溶着部
５０    通気経路   
６０    区画
１００   Webサーバー
１１０   データベースサーバー
３００  通信ネットワーク
４００a  顧客 端末装置
４００b  顧客 端末装置
４００c  顧客 端末装置
５００   委託運送会社 端末装置
【図１】
2015157078.tif 000003
【図２】
2015157078.tif 000004
【図３】
2015157078.tif 000005
【図４】
2015157078.tif 000006
【図５】
2015157078.tif 000007